(57)【要約】【課題】  高い割合で四肢切断の結果を生じさせてしまう重度の糖尿病性潰瘍は、患者の治癒プロセスを妨害しあるいは合併症を引き起こす。本発明は、重度の糖尿病性潰瘍を成功裏に処置して、治癒を可能にし、糖尿病患者が四肢を切断することを防止できる方法を提供する。【解決手段】  重度の糖尿病性潰瘍１０に、少なくとも３種のパルス電磁場（ＰＥＭＦ）印加（ＰＥＭＦ印加１、２及び３）及び少なくとも２種の間欠圧迫治療（ＩＣＴ）印加を備える処置セッションを印加する処置セッションを、少なくとも１日１回、患者に対し行う。【選択図】図１
2010510034.tif 000002
【特許請求の範囲】
【請求項１】
少なくとも３種のパルス電磁場（ＰＥＭＦ）印加（ＰＥＭＦ印加１、２及び３）及び少なくとも２種の間欠圧迫治療（ＩＣＴ）印加を備える処置セッションを含み、
各ＰＥＭＦはそれぞれ少なくとも１０分間潰瘍エリアに印加され、
ＰＥＭＦ印加１は、５から２０ミリワットの印加具出力、１秒当たり６０から１００パルスのパルス速度（ＰＲ）及び５５から７０マイクロ秒のパルス幅（ＰＷ）を有し、
ＰＥＭＦ印加２は、１５から３５ミリワットの印加具出力、１秒当たり３００から６００パルスのＰＲ及び４５から７０マイクロ秒のＰＷを有し、
ＰＥＭＦ印加３は、３０から５０ミリワットの印加具出力、１秒当たり５５０から１０５０パルスのＰＲ及び３５から７０マイクロ秒のＰＷを有し、
前記ＩＣＴ印加は、それぞれ患者に対して行われて、重度の糖尿病性潰瘍のエリアへの血流を増加させ、及び／又は血管の鬱血を減少させる、少なくとも１種の静脈治療及び少なくとも１種の動脈治療又は静脈／動脈治療を含み、
前記静脈治療は、約６０から９０ｍｍＨｇの印加圧力範囲を有し、
前記動脈治療は、約８０から１１０ｍｍＨｇの印加圧力範囲を有し、
前記静脈／動脈治療は、６０から９０ｍｍＨｇの印加圧力範囲、次いで８０から１１０ｍｍＨｇの印加圧力範囲を有し、
重度の糖尿病性潰瘍を処置するために、少なくとも１日１回、患者に対し、処置セッションが行われることを特徴とする、
皮下脂肪層を貫通する重度の糖尿病性潰瘍の処置方法。
【請求項２】
３０から５０ミリワットの印加具出力、１秒当たり３から８パルスのＰＲ及び２９００から３３００マイクロ秒のＰＷを有する第４のＰＥＭＦ印加であるＰＥＭＦ印加４を更に備える請求項１に記載の糖尿病性潰瘍の処置方法。
【請求項３】
ＰＥＭＦ印加１は、１秒当たり８０パルスのＰＲ及び６５マイクロ秒のＰＷを有し、ＰＥＭＦ印加２は、１秒当たり４００パルスのＰＲ及び６５マイクロ秒のＰＷを有し、ＰＥＭＦ印加３は、１秒当たり６００パルスのＰＲ及び６５マイクロ秒のＰＷを有し、かつＰＥＭＦ印加４は、１秒当たり５．６パルスのＰＲ及び３１５０マイクロ秒のＰＷを有する請求項２に記載の糖尿病性潰瘍の処置方法。
【請求項４】
処置セッションは、少なくとも約２．５から３．５時間である請求項１に記載の糖尿病性潰瘍の処置方法。
【請求項５】
前回の処置セッションが完了した後に、７から１０時間ごとに処置セッションを繰り返すようにした請求項４に記載の糖尿病性潰瘍の処置方法。
【請求項６】
ＰＥＭＦ印加１及び２は、それぞれ約１０から２０分印加され、ＰＥＭＦ印加３は約２０から４０分印加され、任意のＰＥＭＦ印加４は約２０から４０分印加される請求項１に記載の糖尿病性潰瘍の処置方法。
【請求項７】
ＰＥＭＦ印加１が最初に、次いでＰＥＭＦ印加３が、更にＰＥＭＦ印加２が印加される請求項１に記載の糖尿病性潰瘍の処置方法。
【請求項８】
第４のＰＥＭＦ印加であるＰＥＭＦ印加４が、ＰＥＭＦ印加３と２の間に印加される請求項７に記載の糖尿病性潰瘍の処置方法。
【請求項９】
潰瘍のエリアに超音波を印加するステップを更に備える請求項１に記載の糖尿病性潰瘍の処置方法。
【請求項１０】
その上に、銀及び／又は蜂蜜の耐感染症組成物を有する包帯を潰瘍エリアに添付する付加的なステップを更に備える請求項１に記載の糖尿病性潰瘍の処置方法。      
【請求項１１】
包帯が潰瘍を覆い、ＰＥＭＦ印加が包帯の表面に対して行われる請求項１０に記載の糖尿病性潰瘍の処置方法。      
【請求項１２】
ＰＥＭＦ印加１が、０．３０％から０．７０％のデューティサイクルを有し、ＰＥＭＦ印加２が、１．４％から４．２％のデューティサイクルを有し、ＰＥＭＦ印加３が、１．９％から７．４％のデューティサイクルを有し、選択可能なＰＥＭＦ印加４が、０．３％から２．６％のデューティサイクルを有する請求項１に記載の糖尿病性潰瘍の処置方法。
【請求項１３】
ＰＥＭＦ印加１が、０．５０％のデューティサイクルを有し、ＰＥＭＦ印加２が、２．６％のデューティサイクルを有し、ＰＥＭＦ印加３が、３．９０％のデューティサイクルを有し、選択可能なＰＥＭＦ印加４が、１．８％のデューティサイクルを有する請求項１に記載の糖尿病性潰瘍の処置方法。
【請求項１４】
患者が人間である請求項１に記載の糖尿病性潰瘍の処置方法。
【請求項１５】
糖尿病性潰瘍エリアが、４０ｍｍＨｇ未満の経皮的酸素圧（ＴｃＰＯ2）を有する患者の四肢にある請求項１に記載の糖尿病性潰瘍の処置方法。
【請求項１６】
四肢が３０ｍｍＨｇ以下のＴｃＰＯ2を有する重度の虚血であり、四肢が患者の足である請求項１５に記載の糖尿病性潰瘍の処置方法。
【請求項１７】
動脈又は静脈／動脈治療の圧力印加が潰瘍エリアのＴｃＰＯ2に基づいて調節される請求項１５に記載の糖尿病性潰瘍の処置方法。
【請求項１８】
ＩＣＴ治療の設定が、患者の四肢のＴｃＰＯ2に基づいて選択され、ＴｃＰＯ2が低いほど動脈又は静脈／動脈治療を行う処置セッションに要する時間が増加する請求項１５に記載の糖尿病性潰瘍の処置方法。
【請求項１９】
ＩＣＴ治療が、患者の皮膚の活力に関する患者の感度のレベルに基づいて行われ、大きな感度を有する患者に対するほど、低い圧力を使用してＩＣＴ治療を行うようにした請求項１に記載の糖尿病性潰瘍の処置方法。
【請求項２０】
治療１回当たり約５から３５分になるように、静脈治療を、処置セッションの間に２回行い、かつ１セッション当たり約１００から２００分になるように、動脈又は動脈／静脈処置を行うようにした請求項１に記載の糖尿病性潰瘍の処置方法。
【請求項２１】
圧力サイクルを繰り返す前に、静脈治療は、約０．２から１．０秒の膨張時間、約１．０から３．０秒の圧力保持時間、約１．０から３．０秒の収縮時間及び約１０から２０秒の静止時間の圧力サイクルを有し、
圧力サイクルを繰り返す前に、動脈治療は、約０．２から１．０秒の膨張時間、約１．０から３．０秒の圧力保持時間、約１．０から３．０秒の収縮時間及び約１０から２０秒の静止時間の圧力サイクルを有し、
静脈／動脈治療は、約０．２から１．０秒の膨張時間、約０．２から１秒の圧力保持時間、約０．１から３．０秒の収縮時間の静脈圧力サイクルを有し、
静脈圧力が収縮時間にある間は、静脈／動脈圧力サイクルが繰り返される前に、動脈圧力は約０．２から１.０秒の膨張時間、約１．０から３.０秒の圧力保持時間、次いで約１．０から３.０秒の収縮時間及び約１０から２０秒の静止時間を有する請求項２０に記載の糖尿病性潰瘍の処置方法。
【請求項２２】
静脈治療圧力サイクルは、圧力サイクルを繰り返す前に、０．５秒の膨張時間、２秒の圧力保持時間、２秒の収縮時間及び１５．５秒の静止時間の圧力サイクルを有し、
動脈治療圧力サイクルは、圧力サイクルを繰り返す前に、０．５秒の膨張時間、２秒の圧力保持時間、２秒の収縮時間及び１５．５秒の静止時間の圧力サイクルを有し、
静脈／動脈治療圧力サイクルは、０．５秒の膨張時間、０．５秒の圧力保持時間、０から２秒の収縮時間及び１５．５秒の静止時間の圧力サイクルを有し、
かつ静脈圧力が収縮時間にある間は、静脈／動脈圧力サイクルが繰り返される前に、動脈圧力は０．２秒の膨張時間、２．０秒の圧力保持時間、次いで２．０秒の収縮時間及び１４．５秒の静止時間を有する請求項２１に記載の糖尿病性潰瘍の処置方法。
【請求項２３】
重度の糖尿病性潰瘍が皮下脂肪層を貫通して、腱、嚢、骨又は関節に達している請求項１に記載の糖尿病性潰瘍の処置方法。  
【請求項２４】
少なくとも３種のパルス電磁場（ＰＥＭＦ）印加（ＰＥＭＦ印加１、２及び３）及び少なくとも２種の間欠圧迫治療（ＩＣＴ）印加を備える処置セッションを含み、
各ＰＥＭＦはそれぞれ少なくとも１５分間潰瘍エリアに印加され、
ＰＥＭＦ印加１は、１秒当たり７０から９０パルスのパルス速度（ＰＲ）及び６０から７０マイクロ秒のパルス幅（ＰＷ）を有し、
ＰＥＭＦ印加２は、１秒当たり３５０から５５０パルスのＰＲ及び６０から７０マイクロ秒のＰＷを有し、
ＰＥＭＦ印加３は、１秒当たり５５０から６５０パルスのＰＲ及び６０から７０マイクロ秒のＰＷを有し、
前記ＩＣＴ印加は、それぞれ患者に対して行われて、重度の糖尿病性潰瘍のエリアへの血流を増加させる、少なくとも１種の静脈治療及び少なくとも１種の動脈治療又は静脈／動脈治療を含み、
前記静脈治療は、７０から８０ｍｍＨｇの印加圧力範囲を有し、
前記動脈治療は、９０から１００ｍｍＨｇの印加圧力範囲を有し、
前記静脈／動脈治療は、７０から８０ｍｍＨｇの印加圧力範囲、及び９０から１００ｍｍＨｇの印加圧力範囲を有し、
重度の糖尿病性潰瘍を処置するために、少なくとも１日２回、患者に対し、処置セッションが行われ、処置セッション間に少なくとも７から１０時間の休憩が与えられることを特徴とする、
皮下脂肪層を貫通する重度の糖尿病性潰瘍の処置方法。
【請求項２５】
少なくとも３種のパルス電磁場（ＰＥＭＦ）印加（ＰＥＭＦ印加１、２及び３）及び少なくとも２種の間欠圧迫治療（ＩＣＴ）印加を備え、かつその上に、潰瘍エリアでの微生物の成長を阻害するために十分な量の銀及び／又は蜂蜜の耐感染症組成物を有する包帯を潰瘍エリアに添付する処置セッションを含み、
各ＰＥＭＦはそれぞれ少なくとも１０分間潰瘍エリアに印加され、
ＰＥＭＦ印加１は、５から２０ミリワットの印加具出力、１秒当たり６０から１００パルスのパルス速度（ＰＲ）及び５５から７０マイクロ秒のパルス幅（ＰＷ）を有し、
ＰＥＭＦ印加２は、１５から３５ミリワットの印加具出力、１秒当たり３００から６００パルスのＰＲ及び４５から７０マイクロ秒のＰＷを有し、
ＰＥＭＦ印加３は、３０から５０ミリワットの印加具出力、１秒当たり５５０から１０５０パルスのＰＲ及び３５から７０マイクロ秒のＰＷを有し、
前記ＩＣＴ印加は、それぞれ患者に対して行われて、重度の糖尿病性潰瘍のエリアへの血流を増加させる、少なくとも１種の静脈治療及び少なくとも１種の動脈治療又は静脈／動脈治療を含み、
前記静脈治療は、６０から９０ｍｍＨｇの印加圧力範囲を有し、
前記動脈治療は、８０から１１０ｍｍＨｇの印加圧力範囲を有し、
前記静脈／動脈治療は、６０から９０ｍｍＨｇの印加圧力範囲、次いで８０から１１０ｍｍＨｇの印加圧力範囲を有し、
重度の糖尿病性潰瘍を処置するために、少なくとも１日１回、患者に対し、処置セッションが行われることを特徴とする、
皮下脂肪層を貫通する重度の糖尿病性潰瘍の処置方法。
【発明の詳細な説明】
【技術分野】
【０００１】
本発明は、虚血、及び皮下脂肪層を貫通する重度の糖尿病性潰瘍を有する患者の治療方法に関する。
【背景技術】
【０００２】
重度の糖尿病性潰瘍の多くは糖尿病性の合併症であり、皮下脂肪層を貫通する創傷と虚血を有することを特徴としている。米国では１８００万人が糖尿病であり、毎年８０万人以上が糖尿病と新たに診断される。糖尿病を有するこれらの人々の多くは、約２７０万人は潰瘍、例えば足の潰瘍を進行させている。これらの潰瘍を有する人のうち、約１２０万人は重度の潰瘍を進行させている。重度の潰瘍は、頻繁に感染症、壊疽、切断を引き起こし、場合によっては死に至ることがある。実際、糖尿病は、米国及び欧州において、下肢切断の最も一般的な根本原因である。
【０００３】
高い割合で潰瘍が切断の結果を生じさせてしまうことからも明らかなように、重度の糖尿病性潰瘍の処置は困難である。重度の糖尿病性潰瘍は、患者の治癒プロセスを妨害しあるいは完全に抑制する複数の重なり合った合併症、例えば虚血、開裂した深い傷及び感染症を有し、処置するには極度に複雑である。現在使用されている治療は、全てのタイプの傷に対処しようとするもので、重度の糖尿病性潰瘍のような解決の難しい複雑なものに対しては十分に対処できない。
【発明の概要】
【発明が解決しようとする課題】
【０００４】
前述の通り、切断の可能性を減少させあるいは防止するために、重度の糖尿病性潰瘍を処置するための改良された方法が要請されている。本発明は、この要請に対処し、重度の糖尿病性潰瘍を成功裏に処置して、治癒を可能にし、糖尿病患者が四肢を切断することを防止できる方法を提供する。
【課題を解決するための手段】
【０００５】
本発明は、重度の糖尿病性潰瘍を処置するために特別に意図された方法に関する。本発明方法は、重度の糖尿病性潰瘍と虚血に罹患した糖尿病患者に、少なくとも３種のパルス電磁場（ＰＥＭＦ）印加（ＰＥＭＦ印加１、２及び３）及び少なくとも２種の間欠圧迫治療（ＩＣＴ）印加を備える処置セッションを行うことが好ましい。重度の糖尿病性潰瘍を処置するために、糖尿病患者に対して処置セッションを少なくとも１日１回行うことが好ましく、１日２回行うことが更に好ましい。典型的な処置セッションは少なくとも約２，５から３．５時間行う。処置セッションを少なくとも１日１回行うことが好ましく、１日２回行うことが更に好ましく、前回の処置セッションの完了後、７から１０時間ごとに行うことが最も好ましい。
【０００６】
本発明方法は、重度の糖尿病性潰瘍の特殊で問題の多い特性に対処する特別の処置である。特定のＰＥＭＦ印加の組み合わせと設定は、重度の糖尿病性潰瘍の治癒を誘起するために必要な特殊なファクタに対処する。例えば、ＰＥＭＦ印加１は、治癒用の潰瘍床を調製するために必要な細胞活性を誘起することを意図し、ＰＥＭＦ印加２は、治癒プロセスの間に、患者の皮膚の表面近くの、つまり浅い部分の糖尿病性潰瘍近くの潰瘍床を充填するために必要な細胞活性を誘起し、ＰＥＭＦ印加３は、表面から離れた潰瘍床を充填するために必要な細胞活性を誘起する。ＰＥＭＦ印加３は、深く問題の多い糖尿病性潰瘍について特に重要である。選択可能なＰＥＭＦ印加４は、ＰＥＭＦ印加２及び／又は３では完全には対応できない問題の多い糖尿病性潰瘍の潰瘍床を充填するための細胞活性を誘起する。
【０００７】
本発明は、複数設定を許容し、処置セッションの間に、ＰＥＭＦ及びＩＣＴ治療の両者に関し特定のタイプのものを使用可能にする。患者に対して行われるＩＣＴ治療は、虚血のレベル及び患者の感度に基づいて選択する。ＩＣＴ治療は、少なくとも２種の設定、静脈及び動脈の設定を有することが好ましい。静脈の設定は、患者の静脈の機能不全に対処するために使用され、動脈の設定は、患者の動脈の機能不全に対処するために使用される。好ましい態様では、第３の選択可能なＩＣＴ治療、静脈／動脈治療の設定を、潰瘍エリア中の患者の静脈及び動脈の両者の機能不全に対処するために一度に使用される。好ましい態様では、本発明のＩＣＴ治療は、次のサイクルが始まるまで、膨張時間、保持時間、収縮時間及び静止時間から成る特別のサイクルを有する患者の血管に関する要請に特に対処することを意図する。
【０００８】
好ましい態様では、処置セッションは、その上に、銀及び／又は蜂蜜の耐感染症組成物を有する包帯を潰瘍エリアに添付するステップを更に備える。前記包帯は、潰瘍エリアでの微生物の成長を阻害するために十分な量の銀及び／又は蜂蜜の耐感染症組成物を有すると好都合である。包帯が潰瘍を覆い、ＰＥＭＦ印加具が包帯の表面に位置することが好ましい。他の態様では、本発明方法は、微生物の成長を阻害するために十分な時間、潰瘍エリアに超音波を印加するステップを更に含む。
【０００９】
他の好ましい態様では、それぞれのＰＥＭＦ印加は潰瘍エリアに少なくとも１０分間印加され、次の機能的な設定を有する。ＰＥＭＦ印加１は、５から２０ミリワットの印加具出力、１秒当たり６０から１００パルスのパルス速度（ＰＲ）及び５５から７０マイクロ秒のパルス幅（ＰＷ）を有し、ＰＥＭＦ印加２は、１５から３５ミリワットの印加具出力、１秒当たり３００から６００パルスのＰＲ及び４５から７０マイクロ秒のＰＷを有し、かつＰＥＭＦ印加３は、３０から５０ミリワットの印加具出力、１秒当たり５５０から１０５０パルスのＰＲ及び３５から７０マイクロ秒のＰＷを有する。
【００１０】
選択可能な第４のＰＥＭＦ印加を処置セッション中に行うことができ、該第４のＰＥＭＦ印加は、３０から５０ミリワットの印加具出力、１秒当たり３から８パルスのＰＲ及び２９００から３３００マイクロ秒のＰＷを有することが好ましい。
【００１１】
他の態様では、ＰＥＭＦ印加１は、１秒当たり８０パルスのＰＲ及び６５マイクロ秒のＰＷを有し、ＰＥＭＦ印加２は、１秒当たり４００パルスのＰＲ及び６５マイクロ秒のＰＷを有し、ＰＥＭＦ印加３は、１秒当たり６００パルスのＰＲ及び６５マイクロ秒のＰＷを有し、かつ選択可能なＰＥＭＦ印加４は、１秒当たり５．６パルスのＰＲ及び３１５０マイクロ秒のＰＷを有する。
【００１２】
ＰＥＭＦ印加は任意の順序で行うことができる。例えばある態様では、ＰＥＭＦ印加１をまず行い、次いでＰＥＭＦ印加３を更にＰＥＭＦ印加２を行う。他の態様では、追加のＰＥＭＦ印加４を、ＰＥＭＦ印加３及び２の間で行う。
【００１３】
潰瘍の適切な治癒のために患者が必要としているならば、追加のＰＥＭＦ印加を、セッションごとに行っても良い。
【００１４】
ＰＥＭＦ印加１が、０．３０％から０．７０％のデューティサイクルを有し、ＰＥＭＦ印加２が、１．４％から４．２％のデューティサイクルを有し、ＰＥＭＦ印加３が、１．９％から７．４％のデューティサイクルを有し、ＰＥＭＦ印加４が、０．３％から２．６％のデューティサイクルを有することが好ましい。ＰＥＭＦ印加１が、０．５０％のデューティサイクルを有し、ＰＥＭＦ印加２が、２．６％のデューティサイクルを有し、ＰＥＭＦ印加３が、３．９０％のデューティサイクルを有し、ＰＥＭＦ印加４が、１．８％のデューティサイクルを有することが更に好ましい。
【００１５】
ある態様では、前記ＩＣＴ印加は、それぞれ患者に対して行われて、糖尿病性潰瘍のエリアへの血流を増加させ治癒を促進する、少なくとも１種の静脈治療及び少なくとも１種の動脈治療又は静脈／動脈治療を含む。静脈治療は、皮膚表面に近い血管中の静脈鬱血を減少させかつ血流を増加させるために十分な圧力を印加し、一方動脈治療は、患者のより深い部位に存在し、より高い圧力を要する動脈中の血流を増加させるために行われる。前記静脈治療は、約６０から９０ｍｍＨｇの印加圧力範囲を有し、一方前記動脈治療は、約８０から１１０ｍｍＨｇの印加圧力範囲を有し、前記静脈／動脈治療は、６０から９０ｍｍＨｇの印加圧力範囲、次いで約８０から１１０ｍｍＨｇの印加圧力範囲を有することが好ましい。静脈処置は、１セッション当たり約５から７０分間行われることが好ましく、動脈及び／又は動脈／静脈処置は、１セッション当たり約１００から２００分間行われることが好ましい。好ましい態様では、静脈治療は、処置セッションの間に、それぞれ約５から３５分ずつ２回行われる。
【００１６】
ＩＣＴ治療は、間欠的、一定、勾配のある、又は逐次的な圧力、及び連続的な圧力治療又はこれらの組み合わせを含む。静脈治療は、圧力サイクルを繰り返す前に、約０．２から１．０秒の膨張時間、約１．０から３．０秒の圧力保持時間、約１．０から３．０秒の収縮時間及び約１０から２０秒の静止時間の圧力サイクルを有することが好ましい。動脈治療は、圧力サイクルを繰り返す前に、約０．２から１．０秒の膨張時間、約１．０から３．０秒の圧力保持時間、約１．０から３．０秒の収縮時間及び約１０から２０秒の静止時間の圧力サイクルを有することが好ましい。
静脈／動脈治療は、約０．２から１．０秒の膨張時間、約０．２から１秒の圧力保持時間、約０．１から３．０秒の収縮時間の静脈圧力サイクルを有し、静脈圧力が収縮時間にある間は、静脈／動脈圧力サイクルが繰り返される前に、動脈圧力は、約０．２から１.０秒の膨張時間、約１．０から３.０秒の圧力保持時間、次いで約１．０から３.０秒の収縮時間及び約１０から２０秒の静止時間を有する。
【００１７】
好ましい例における設定では、静脈治療圧力サイクルは、圧力サイクルを繰り返す前に、０．５秒の膨張時間、２秒の圧力保持時間、２秒の収縮時間及び１５．５秒の静止時間であり、動脈治療圧力サイクルは、圧力サイクルを繰り返す前に、０．５秒の膨張時間、２秒の圧力保持時間、２秒の収縮時間及び１５．５秒の静止時間であり、静脈／動脈治療圧力サイクルは、０．５秒の膨張時間、０．５秒の圧力保持時間、０から２秒の収縮時間の静脈圧力サイクルを有し、かつ静脈圧力が収縮時間にある間は、静脈／動脈圧力サイクルが繰り返される前に、動脈圧力は０．５秒の膨張時間、２．０秒の圧力保持時間、次いで２秒の収縮時間及び１４．５秒の静止時間を有する。
【００１８】
静脈治療及び動脈治療及び／又は静脈／動脈治療の時間的長さは、虚血の程度と患者の感度に応じて異ならせるのが好ましい。本発明方法では、中程度の（ＴｃＰＯ2が３０〜４０ｍｍＨＧ）及び重症の虚血（ＴｃＰＯ2が３０ｍｍＨＧ以下）であるかによって、少なくとも２種類の設定を行うことが好ましい。ＩＣＴ治療は、ＴｃＰＯ2が低くなるほど、動脈又は静脈／動脈治療を行う処置セッションに要する時間を延ばすというように、潰瘍のＴｃＰＯ2に基づいて選択すべきである。好ましい方法も、患者の感度、虚弱性及び健常性に対して行うＩＣＴ治療の少なくとも２種の設定を有する。ＩＣＴの感度に関する設定は、患者の感度が大きくなるほど、ＩＣＴ治療用に使用する印加圧力を小さくするようにする。虚弱な患者に対する設定は、健常な患者に対する設定より１０ｍｍＨｇ低くする。例えば静脈印加は、６０から９０ｍｍＨｇの印加圧力範囲とし、通常の感度の場合は８０ｍｍＨｇ，虚弱な感度の場合には、７０ｍｍＨｇの設定とする。同様に、動脈印加は、８０から１１０ｍｍＨｇの印加圧力範囲とし、通常の感度の場合は１００ｍｍＨｇ，虚弱な感度の場合には、９０ｍｍＨｇの設定とする。患者の感度の設定は、臨床医による意思決定により行われ、年齢、過去の皮膚の損傷／潰瘍、過去の切断、栄養状態、体重、全体的な健康度を含む患者の全生理機能及び過去の皮膚の状態に基づくことが好ましい。
【図面の簡単な説明】
【００１９】
【図１】銀及び／又はミツを有する包帯を潰瘍エリアに添付し、かつ患者の脚部の潰瘍の上方にＩＣＴ印加具を、処置セッションを行うために準備したＰＥＭＦ印加具をセットした、足部の糖尿病性潰瘍を有する患者の下肢を示す図であり、ＰＥＭＦ印加具は処置セッションが開始されるときに、潰瘍エリア上に位置する。
【発明を実施するための形態】
【００２０】
本発明は、重度の糖尿病性潰瘍の治癒を容易にする方法に関する。足のような患者の四肢のいずれかに生じる糖尿病性潰瘍は、治癒が困難である。糖尿病性潰瘍は、糖尿病から生じる神経障害と血管の障害の組み合わせにより生じるのが典型的なものである。重度の糖尿病性潰瘍は、皮下脂肪層を貫通して、腱、嚢、骨又は関節に達しているものを含む糖尿病性の傷により特徴付けられる。虚血（中程度では３０〜４０ｍｍＨｇのＴｃＰＯ2を、重症の場合は３０ｍｍＨｇ以下のＴｃＰＯ2を有する）、及び細胞増殖と傷の治癒の遅れが糖尿病性潰瘍で典型的に現れる。このとき、感染症は、ときには患者を救うための切断を招いてしまう重度の糖尿病性潰瘍を伴う多くの追加的な合併症の一つである。
【００２１】
本明細書で使用される「患者」という用語は、哺乳類を意味するが、好ましい患者は人間である。
【００２２】
本明細書で使用される「約」という用語は、例えば本発明の範囲内にある機械的又は人間によるエラーに起因する僅かな変動を説明するためのものである。「約」という用語は、好ましくは１％未満から３％の、より好ましくは１％以下の変動を意味する。  
【００２３】
前述の通り、本発明は、処置しないでおくと、患者の四肢の複数の切断を招いてしまう重度の糖尿病性潰瘍を特異的に処置するために開発された。本発明方法は、重度の糖尿病性潰瘍を有する糖尿病患者に処置セッションを行うステップを備える。処置セッションは、少なくとも３種のパルス電磁場（ＰＥＭＦ）印加（ＰＥＭＦ印加１、２及び３）及び、静脈治療及び動脈治療、又は静脈／動脈治療、又はこれらの組み合わせを含む少なくとも２種の間欠圧迫治療（ＩＣＴ）印加を備える。好ましい態様では、ＩＣＴ印加は、静脈治療及び、動脈治療又は静脈／動脈治療のいずれかを含む。
【００２４】
図１は、その上に糖尿病性潰瘍１０が生じている患者の脚５及び足１０を示す。糖尿病性潰瘍のエリア１０には、潰瘍エリアを被覆するように、包帯４０が位置している。該包帯４０には、感染を防止しかつ微生物成長を抑制するために十分な量の銀及び／又は蜂蜜の耐感染症組成物を沁みこませてある。ＩＣＴ印加具２０及びＰＥＭＦ印加具３０は、１又は２以上のケーブル２５により、ＩＣＴコンプレッサ又はＰＥＭＦエネルギ発生装置（図示せず）に接続されている。ＩＣＴ印加具２０は、患者の脚５に接触し、ＰＥＭＦ印加具３０は、潰瘍エリア１０の近くで、処置セッションの準備中は包帯の上に位置する。図示しない態様では、包帯４０はＰＥＭＦ印加具３０の一部で、組み合わされた包帯４０／印加具３０が糖尿病性潰瘍エリア１０上に直接位置する。靴下や他の保持具（図示せず）を使用して、処置セッションの間、ＰＥＭＦ印加具３０を糖尿病性潰瘍エリア１０に保持しても良い。
【００２５】
処置セッションは、重度の糖尿病性潰瘍を処置するために少なくとも１日１回、好ましくは１日２回糖尿病患者に対して行われる。処置セッションは、約２．５から３．５時間行い、前回の処置セッションの完了後、７から１０時間後に行うことが好ましい。
【００２６】
本発明は、重度の糖尿病性潰瘍の複雑な特性に対する処置セッションの間に、特定のタイプのＰＥＭＦ印加とＩＣＴ治療の両者を同時に又は近接して行い、治癒を誘起しかつ切断を防止する。ＰＥＭＦ及びＩＣＴ印加は、傷への包帯又は布を使用し又は使用せずに行うことができる。本発明を、引き続く限定を意図しない例に基づいて説明する。引き続く例では、器具は１又は２以上の別の印加具の接続されたＰＥＭＦエネルギ又は圧縮圧力を発生させる発生具を有する。前記印加具は、処置する１又は２以上のエリアに対して治療を行う。代替例では、発生具及び印加具は、ケーブル／管を必要とせずに単一ユニット中に結合される。
【００２７】
[ＰＥＭＦ印加]
ＰＥＭＦ印加具は、潰瘍エリアの上方に位置させることが好ましい。例えば潰瘍エリアに包帯が添付され、包帯に対して印加が行われるといった、ＰＥＭＦ印加具が直接接触することは要求されない。ＰＥＭＦ印加具が、ＰＥＭＦ印加が本明細書で述べる特定の印加出力、パルス速度及びパルス幅を有する、必要なＰＥＭＦ印加設定を伝達できれば、ＰＥＭＦ印加具あるいは処置パッドは、公知の好適なＰＥＭＦ印加具を使用すれば良い。本発明のＰＥＭＦ印加設定は、糖尿病性潰瘍の治癒を誘起するために必要な特定の因子を印加する。例えばＰＥＭＦ印加１は治癒のための潰瘍床を準備するのに必要な細胞活性を誘起するよう設計され、ＰＥＭＦ印加２は治癒プロセス間に、患者の皮膚表面に近い潰瘍床、つまり浅い位置の糖尿病性潰瘍を充填するために必要な細胞活性を誘起し、ＰＥＭＦ印加３は表面から遠い潰瘍床を充填するために必要な細胞活性を誘起する。ＰＥＭＦ印加３は、深い位置にあって問題の多い糖尿病性潰瘍に関して特に重要である。選択可能なＰＥＭＦ印加４は、ＰＥＭＦ２及び／又は３では完全に対応できない問題の多い糖尿病性潰瘍の傷を充填するために必要な細胞活性を誘起するよう設計される。
【００２８】
[ＩＣＴ治療]
患者に対して行われるＩＣＴ治療は、虚血のレベルと患者の感度のレベルに基づいて選択される。ＩＣＴ治療は、静脈及び動脈設定である少なくとも２種の設定を有することが好ましい。静脈設定を使用して患者の静脈の機能不全の処置を行い、動脈設定を使用して患者の動脈の機能不全の処置を行う。好ましい態様では、第３の選択可能な治療設定である静脈／動脈治療を使用して、潰瘍エリア中の患者の静脈及び動脈の機能不全の両者の処置を一度で行う。好ましい態様では、本発明のＩＣＴ治療は、次のサイクルが始まるまでに、膨張時間、圧力保持時間、収縮時間及び静止時間の特定のサイクルを有する血管の要求に対して行われる。
【００２９】
ＩＣＴ治癒は、印加する圧力、利用する圧力のタイプ（例えば間欠的、定圧、順次等）、膨張時間の長さ（遅い−速い）、圧力が保持される時間の長さ、圧力を解放する時間の長さ（収縮）及び圧力印加の間の静止時間を含む。好ましい態様では、ＩＣＴ治療は、静脈及び動脈治癒の両者又選択可能な静脈／動脈治癒を有する。
【００３０】
圧縮治療には下記の３種の主たるタイプがある。
【００３１】
[定圧治療]
患者の体の一点又は一エリアに印加具を使用して圧力を印加し、一定時間固定したレベルに圧力を維持し、次いで一定時間で圧力を取り去り（大気圧又は「通常の」圧力に解放する）、次いで固定した圧力レベルで圧力を再印加する。
【００３２】
[傾斜圧力治療]
患者の体の一点又は一エリアに印加具を使用して圧力を印加し、一定時間固定したレベルで圧力を印加し、次いで直ちにあるいは徐々に異なった圧力レベル（当初圧力より高いか低いかのいずれか）に変化させ、次いで一定時間で圧力を取り去り（大気圧又は「通常の」圧力に解放する）、次いで当初の固定した圧力レベルで圧力を再印加し、次いで直ちにあるいは徐々に異なった圧力レベルに変化させる。２種の異なった圧力レベルのみを述べているが、２種を超えるレベルを使用することも可能である。例えばまず１５ｍｍＨｇの圧力を、次いで３０ｍｍＨｇの圧力を、次いで１５ｍｍＨｇの圧力を印加し、次に休止後、繰り返すことができる。これに替えて、１５ｍｍＨｇ、次いで３０ｍｍＨｇ、次いで５０ｍｍＨｇとしても良い。更に装置を使用してまず４０ｍｍＨｇ、次いで３０ｍｍＨｇ、次いで１５ｍｍＨｇ、更に４０ｍｍＨｇを印加しても良い。他の組合せも可能で、それらは本発明に含まれる。
【００３３】
[順次圧力治療]
順次圧力治療は、患者の体の少なくとも二点又は二エリアに印加具を使用して圧力を印加することが必要である。これは、それぞれが異なったレベルの圧力を提供できる２又は３以上のチャンバ（例えば第１のチャンバが２０ｍｍＨｇの圧力を、第２のチャンバが４８ｍｍＨｇの圧力を印加できる）を有する単一の印加具を使用して達成できる。その替わりに、２又は３以上の印加具を使用して達成することもでき、この場合各印加具は異なったレベルの圧力を印加する（例えば第１の印加具が２０ｍｍＨｇの圧力を、第２の印加具が４８ｍｍＨｇの圧力を印加する）。好ましい態様では、使用する異なった印加具又は異なったチャンバは独立に作動しても協動しても良い。圧力が非常に近い２つのエリアに順次圧力を印加することが好ましいが、他のエリアを含んでも良い。
【００３４】
前記３種の治療の変形及び組合せも本発明に含まれる。これらの変形及び組合せの例は次の通りである。
【００３５】
[間欠圧力治療]
上記３種類のタイプの任意のものを設定時間のインターバルで開始しかつ停止する。限定を意図しない態様では、圧力サイクルを繰り返す前に、静脈治療は、約０．２から１．０秒の膨張時間、約１．０から３．０秒の圧力保持時間、約１．０から３．０秒の収縮時間及び約１０から２０秒の静止時間の圧力サイクルを有し、圧力サイクルを繰り返す前に、動脈治療は、約０．２から１．０秒の膨張時間、約１．０から３．０秒の圧力保持時間、約１．０から３．０秒の収縮時間及び約１０から２０秒の静止時間の圧力サイクルを有し、かつ静脈／動脈治療は、約０．２から１．０秒の膨張時間、約０．２から１秒の圧力保持時間、約０．１から３．０秒の収縮時間の静脈圧力サイクルを有し、更に静脈圧力が収縮時間にある間は、静脈／動脈圧力サイクルが繰り返される前に、動脈圧力は約０．２から１.０秒の膨張時間、約１．０から３.０秒の圧力保持時間、次いで約１．０から３.０秒の収縮時間及び約１０から２０秒の静止時間を有する。
【００３６】
より好ましい態様では、静脈治療圧力サイクルは、圧力サイクルを繰り返す前に、０．５秒の膨張時間、２秒の圧力保持時間、２秒の収縮時間及び１５．５秒の静止時間の圧力サイクルを有し、動脈治療圧力サイクルは、圧力サイクルを繰り返す前に、０．５秒の膨張時間、２秒の圧力保持時間、２秒の収縮時間及び１５．５秒の静止時間の圧力サイクルを有し、かつ静脈／動脈治療圧力サイクルは、０．５秒の膨張時間、０．５秒の圧力保持時間、０から２秒の収縮時間及び１５．５秒の静止時間の圧力サイクルを有し、更に静脈圧力が収縮時間にある間は、静脈／動脈圧力サイクルが繰り返される前に、動脈圧力は０．５秒の膨張時間、２．０秒の圧力保持時間、次いで２秒の収縮時間及び１４．５秒の静止時間を有する。
【００３７】
[銀及び／又は蜂蜜の耐感染症包帯]
好ましい態様では、本発明方法は、潰瘍エリアに、該潰瘍エリア中の微生物の成長を阻害するに十分な量の銀及び／又は蜂蜜の耐感染症組成物を有する包帯を添付するステップを更に備える。前記銀の耐感染症組成物は、微生物の成長を阻害するに十分な量の銀を含む任意の組成物である。限定を意図しない態様では、米国特許第７１３５１９６号に記載された、コロイド状又はイオン性銀と異なった銀ゾルを使用する。この銀ゾルは水中に永続的に懸濁し、ミネラルの電荷が水全体に移動する点でコロイド状又はイオン性銀と異なる。前記銀ゾルは、好ましくは１０から４５ｐｐｍ、より好ましくは１５から４０ｐｐｍあるいは２０から３０ｐｐｍ、最も好ましくは約３２ｐｐｍの銀濃度を有する。
【００３８】
蜂蜜の耐感染症組成物も、微生物の成長を阻害する任意の蜂蜜組成物である。しかし蜂蜜組成物は、１５＋以上の活性を有するマヌカ蜂蜜であることが好ましい。これに限定されないが、蜂蜜組成物が米国特許第６９５６１４４号に記載されている。
【００３９】
[超音波治療]
超音波印加器で使用する強度（電力）は、０．００５から５０．０Ｗ／ｃｍ2であることが好ましく、０．０１から５．０Ｗ／ｃｍ2であることがより好ましく、０．１から２．２Ｗ／ｃｍ2であることが最も好ましい。ある特定の好ましい態様では、超音波印加器は、０．１５から０．３Ｗ／ｃｍ2である低周波数超音波を印加する。使用周波数は０．１から３０００ｋＨｚであることが好ましく、２０から１００ｋＨｚであることがより好ましく、２０から５０ｋＨｚであることが最も好ましい。高周波数であることを意図するある態様では、周波数は１から１０ＭＨｚとする。超音波印加の使用は、低周波数から高周波数まで変化でき、例えばまず低周波数、次いで高周波数にスイッチし、更に低周波数に戻るといった変化が可能で、常に低周波数又は常に高周波数又は任意の組合せ（例えば低、低、高、低、高、低、高、高）を含む。
【００４０】
それに加えて、印加器が停止前に超音波を印加する処置セグメントあるいは時間は変更でき、例えば１分から変化なし（ターンオフまで停止しない）までを含む。特定の処置セグメントが変化なしでないと、全処置セグメントは複数のセグメントを持つことができる（各セグメントは同じ又は異なった時間を有する）。
【００４１】
非限定的な態様では、本発明は、印加具（処置パッド）が実際に処置すべき患者の体の部分に正確に接続しているか否かを決定するためのセンサの使用も含む。順守監視については、患者が器具を実際に使用しているか、そして２４時間器具の使用を監視できる医療関係者がいない患者の家庭のような特殊な環境で器具を装着されている患者がそれを適正に使用しているか否かを確かめられることが重要である。
【００４２】
前記センサには、該センサが印加具が使用されていないこと、又は正確に使用されていないことを決定したときに、器具を自動的にターンオフする手段を装着しても良い。
【００４３】
印加具又はセンサには、患者及び／又は臨床医に可視である表示手段を装着しても良く、該手段は、視覚的に又は聴覚的に及び／又は他の手法で、患者及び／又は臨床医に、処置すべき患者の体の部分に印加具（又は処置パッド）が正確に接触しているかを知らせる。表示手段の例は、着色した又は白色の発光ダイオード（ＬＥＤ）及びブザーである。特定の例としては、器具が適正に使用されている間は、着色ＬＥＤ光がターンオンする。患者及び／又は臨床医に可視であるか又は可聴であれば、前記表示手段は、印加具自体に位置しても器具に位置しても、あるいは他の好適な場所に位置しても良い.
【００４４】
好適な処置セッションは次の例を含む。
【００４５】
[例Ａ] 
ＰＥＭＦ印加１は、１秒当たり７０から９０パルスのパルス速度（ＰＲ）及び６０から７０マイクロ秒のパルス幅（ＰＷ）を有し、ＰＥＭＦ印加２は、１秒当たり５５０から６５０パルスのＰＲ及び６０から７０マイクロ秒のＰＷを有し、ＰＥＭＦ印加３は、１秒当たり５５０から６５０パルスのＰＲ及び６０から７０マイクロ秒のＰＷを有し、前記静脈治療は、約７０から８０ｍｍＨｇの印加圧力範囲を有し、前記動脈治療は、約９０から１００ｍｍＨｇの印加圧力範囲を有し、前記静脈／動脈治療は、７０から８０ｍｍＨｇの印加圧力範囲、及び９０から１００ｍｍＨｇの印加圧力範囲を有し、かつ処置セッションは、少なくとも１日２回患者に行われ、処置セッション間の静止時間少なくとも７から１０時間を有する処置セッション。
【００４６】
[例Ｂ]
潰瘍エリアでの微生物の成長を阻害するために十分な量の銀及び／又は蜂蜜の耐感染症組成物を有する包帯を潰瘍エリアに添付し、かつＰＥＭＦ印加１は、５から２０ミリワットの印加具出力、１秒当たり６０から１００パルスのパルス速度（ＰＲ）及び５５から７０マイクロ秒のパルス幅（ＰＷ）を有し、ＰＥＭＦ印加２は、１５から３５ミリワットの印加具出力、１秒当たり５５０から１０５０パルスのＰＲ及び４５から７０マイクロ秒のＰＷを有し、ＰＥＭＦ印加３は、３０から５０ミリワットの印加具出力、１秒当たり５５０から１０５０パルスのＰＲ及び３５から７０マイクロ秒のＰＷを有し、前記静脈治療は、約６０から９０ｍｍＨｇの印加圧力範囲を有し、前記静脈／動脈治療は、７０から９０ｍｍＨｇの印加圧力範囲、及び９０から１１０ｍｍＨｇの印加圧力範囲を有し、重度の糖尿病性潰瘍を処置するために、少なくとも１日１回、患者に対し行われる処置セッション。
【００４７】
[例Ｃ]
１日２回３．５時間の処置セッションで、処置の間に７から１０時間の静止時間を有する。
【００４８】
この処置セッションは、次の中程度又は重症の虚血用のＩＣＴ治療及びＰＥＭＦ治療を含む。
【００４９】
[中程度又は重症の虚血用のＩＣＴ治療]
３０分の静脈治療（６０から９０ｍｍＨｇ）、１５０分の静脈治療（８０から１１０ｍｍＨｇ）、又は静脈／動脈治療（７０／９０又は８０／１１０ｍｍＨｇ）及び３０分の静脈治療；又は２０分の静脈治療、１７０分の静脈／動脈治療及び処置セッションの最後に２０分の静脈治療；圧力サイクルを繰り返す前の、０．５秒の膨張時間、２秒の圧力保持時間、２秒の収縮時間及び１５．５秒の静止時間の静脈治療圧力サイクル；０．５秒の膨張時間、０．５秒の圧力保持時間及び０から２秒の収縮時間の静脈／動脈治療圧力サイクル；かつ静脈圧力が収縮時間にある間は、静脈／動脈圧力サイクルが繰り返される前に、動脈圧力は０．５秒の膨張時間、２．０秒の圧力保持時間、次いで２秒の収縮時間及び１４．５秒の静止時間を有する。
【００５０】
[ＰＥＭＦ治療]
２０分の静止、２０分のＰＥＭＦ印加１（ＰＲ８０，ＰＷ６５）、５０分の静止、３０分のＰＥＭＦ印加３（ＰＲ６００，ＰＷ６５）、５０分の静止、２０分のＰＥＭＦ印加２（ＰＲ４００，ＰＷ６５）及び２０分の静止；又は２０分のＰＥＭＦ印加１、３０分の静止、４０分のＰＥＭＦ印加３、３０分の静止、４０分のＰＥＭＦ印加４（ＰＲ５．６，ＰＷ３１５０、３０分の静止及び２０分のＰＥＭＦ印加２．
【００５１】
[実施例]
Ａ)ＰＥＭＦ１及び３
[物質]  培地（ＭＥＭ）は、ＨＥＬ（ヒトの胎児肺線維芽細胞）の通常培養用で、メヂェアテック・インコポレーテッド（バージニア州ヘンドン）から得た。ウシ胎仔血清、ペニシリン／ストレプトマイシン、トリプシン、ＩＸ  ＰＢＳ、ピルビン酸ナトリウム及び非必須アミノ酸は、ＶＷＲから購入した。
[ヒトの胎児肺線維芽細胞]
細胞は、バロー・ニューロロジカル・インスチチュートから得た。ハム及びマッキーハン（１９７８）に記載の通り、ルーチン培養を行った。下記に簡単に記載するように、１０ｃｍのプレートを使用し、１ｍＭのピルビン酸ナトリウム、１ｍＭの非必須アミノ酸、１００ユニットのペニシリン、１００μｇのストレプトマイシン及び５％のＦＣＳを補充した最小必須培地（ＭＥＭ）に、１．１４×１．１４細胞／ｃｍ2の濃度で細胞を培養した。細胞は、１６時間後に、５％ＣＯ2を有する３７℃の湿潤培養器で実験用に使用した。細胞は、１０〜１６世代から実験に使用した。
【００５２】
[ＰＥＭＦ条件を含む方法]
処置を、多くの設定条件で細胞をＰＥＭＦに曝すことにより、線維芽細胞複製の最適設定を決定した。更に傷の治癒に重要な他のタイプの細胞活性が異なったＰＥＭＦ設定で影響されるかを測定するために異なった多数の分析を行った。１０株の複製のために、１×１０3、１×１０5及び１×１０4の細胞濃度でプレート上に置いた。細胞は１２〜１４時間成長させ、次いで異なったＰＥＭＦ処置を行った。細胞は処置パッドと組織培養プレート間に位置する２インチ（５．０８ｃｍ）の塩水バッグを使用して、任意の与えられた条件（パラメータ）で処置した。処置後、細胞を１２〜１６時間成長させた。細胞成長の計量は、製造者の指示に従って、ＣｙＱＵＡＮＴ（分子プローブ／インビトロジェン）を使用して行った。細胞成長は、４８０ｎｍでの励起後の５２０ｎｍの発光波長で計量した。６５のゲインを蛍光プレートの読み取りで使用した。
【００５３】
次の記載はステップごとの操作である。
【００５４】
[細胞増殖分析]
１）成長媒体中に、濃縮した細胞懸濁液を作る。
２）細胞懸濁液を順に希釈して、１００μｌ中に、１×１０3、１×１０5及び１×１０4のいずれかを、各細胞濃度に対し、１０個の独立したウェル中に加える。
３）細胞を１２〜１４時間固定する。
４）設定したパラメータで細胞を処置する。
５）処置後に１２〜１４時間細胞を成長させる。
６）ＰＢＳで細胞を２回洗浄し、少なくとも１時間―８０℃で冷凍する。
７）１００μｌのＣｙＱｕａｎｔ溶解／分析試薬を加え、５２０ｎｍの発光／４８０ｎｍ励起で読み取る。
【００５５】
[結果]
広い範囲の設定（例えば電力、パルス速度及びパルス幅のそれぞれの設定に含まれる変数）を比較すると、各設定はある程度の改良を示したが、ある設定が他の設定より非常に良好な細胞複製を与えることを見い出した。印加具出力が１５−２５−３５ミリワット、パルス速度が１秒当たり５５０−６００−１０５０パルス及びパルス幅が３５−６５−７０マイクロ秒（ＰＥＭＦ印加３）は、細胞複製が２４％改良され、これは他の設定の殺菌複製の３倍を超える。
【００５６】
更に、印加具出力が５−１５−２０ミリワット、パルス速度が１秒当たり６０−８０−１００パルス及びパルス幅が５５−６５−７０マイクロ秒（ＰＥＭＦ印加１）は、他の設定より、他のタイプの細胞活性（好中球及び小食細胞親和性、蛋白質、成長因子及びサイトカイン相互作用）に対して大きな正のインパクトを有する。
【００５７】
Ｂ)ＰＥＭＦ３
ＰＥＭＦパラメータ（印加具出力が３０−４０−５０ミリワット、パルス速度が１秒当たり５５０−６０００−１０５０パルス及びパルス幅が３５−６５−７０マイクロ秒）に関する実験室テストは、印加表面より遥かに強力なエネルギ場を与える。このより強力な設定は、ＰＥＭＦエネルギをより深い傷まで貫通させて細胞活性を向上させる。従ってより深い糖尿病性の傷のより包括的な処置が達成される。これは、皮下の傷（例えば腱、嚢、骨又は関節まで貫通している傷）又はトンネル効果が観察される傷にとって重要になる。
【００５８】
［３Ｄマップ実験室テストのプロトコル］
電界強度測定を、増幅器リサーチ電解プローブ（モデルＦＰ４０００）を使用して行った。電解プローブを使用して、ＰＥＭＦ印加具から発生するＲＦ出力フィールドを測定しかつ特徴付けた。第１の測定を２インチの２％塩水溶液の上端の印加表面の中央で行った。引き続く表面測定を、２％塩水溶液の上端で、放射状に２ｃｍ増加するように行った。同じ操作を、全て２インチの２％塩水溶液の上端の印加表面から、２ｃｍ、４ｃｍ、６ｃｍ及び８ｃｍの距離で繰り返した。各設定（電力及びパルス速度の組み合わせ）テストについて、全部で５５回測定を行った。結果は、メートル当たりのボルト（Ｖ／ｍ）で記録した。
【００５９】
「テスト結果」      
印加具出力が３０−４０−５０ミリワット、パルス速度が１秒当たり５５０−６００−１０５０パルス、及びパルス幅が３５−６５−７０秒である最適の設定を使用したときに、高いＰＥＭＦエネルギ出力が全ての５５データポイントで達成されたことが、テスト結果により示された。表面から更に遠い点での測定は、他の設定より３倍遠い点までであったが、他の設定は深い糖尿病性の傷に効果のある十分なエネルギ与えない。
【００６０】
本発明を、好ましい態様を参照して説明してきたが、本発明の範囲内で当業者により変化及び変形が可能であることが理解されるべきである。例えばＰＥＭＦ印加又はＩＣＴ処置は、処置セッションの間に、例えばＰＥＭＦ印加３、次いでＰＥＭＦ印加１、ＰＥＭＦ印加４更にＰＥＭＦ印加２というように、その順序を変えることができる。従って本発明は、添付の特許請求の範囲の範囲内で可能な全ての変化及び修正まで広がると理解すべきである。
【符号の説明】
【００６１】
５    脚
１０  糖尿病性潰瘍（足）
２０  ＩＣＴ印加具
２５  ケーブル
３０  ＰＥＭＦ印加具
４０  包帯
【図１】
2010510034.tif 000003
【国際調査報告】
2010510034.tif 000004